(57)【特許請求の範囲】
【請求項１】
一端に光結合部を有するモジュール本体と、
前記モジュール本体の外部にあって前記光結合部に隣接して配置されるコネクタ収納スペースと、
前記コネクタ収納スペース内に収納され且つ、所定の間隔をおいて一列または複数列に配置される複数のファイバ貫通孔を備え、該ファイバ貫通孔内に前記光結合部に光結合される光ファイバが挿入されている直方体形状のコネクタと、
前記コネクタ収納スペースを介して前記モジュール本体の前記一端に対向する位置の両側部寄りの２か所に配置され、且つ前記コネクタ収納スペースの側方でアームを介して前記モジュール本体に繋げられる２つの第１のコネクタ移動規制部と、
前記コネクタの該コネクタ挿入方向と平行な４つの外表面中の３面と密着するように、該コネクタを着脱自在に内部に保持した状態で、前記コネクタ収納スペース内に着脱可能に装着されるコネクタ保持具であって、前記コネクタ収納スペース内に装着したときに、前記２つの第１のコネクタ移動規制部のそれぞれに対向する位置にスペースを設けて対峙する２つの第２のコネクタ移動規制部を備え、前記モジュール本体に接続された前記コネクタを内部に保持した状態で、前記コネクタ収納スペースの外枠を構成する前記アームの内壁に沿って摺動可能に前記コネクタ収納スペース内に装着されるコネクタ保持具と、
前記コネクタ保持具が前記コネクタ収納スペース内に摺動可能に装着されたときに、前記第１のコネクタ移動規制部と前記第２のコネクタ移動規制部の間に形成される２つの前記スペースに着脱自在に嵌め込まれて該スペースを広げる方向に付勢する２つの板バネ体と、該２つの板バネ体を接続しており、該板バネ体を前記スペースに装着したときに前記コネクタの前記コネクタ保持具で覆われていない面を覆う平板状の橋絡部とを備え、前記スペースに嵌め込まれた前記２つの板バネ体の付勢力により、前記コネクタ保持具を前記モジュール本体方向に押圧摺動させて、前記コネクタ保持具の内部に装着された前記コネクタを前記モジュール本体に押し付けるよう付勢する着脱自在なバネ部材と、
を有することを特徴とする光モジュール。
【請求項２】
前記コネクタは、ガイドピンを介して前記モジュール本体に接続されていることを特徴とする請求項１に記載の光モジュール。
【請求項３】
前記モジュール本体内の前記光結合部は、光ファイバ、光導波路、レンズのいずれか
であることを特徴とする請求項１または２に記載の光モジュール。
【発明の詳細な説明】
【技術分野】
【０００１】
本発明は、光モジュールに関し、より詳しくは、コネクタを介して光ファイバが外部から接続される構造を有する光モジュールに関する。
【背景技術】
【０００２】
アクセス系イーサネット（登録商標）などの需要拡大傾向の中で、加入者端末装置やセンター局端末機器などに使用されるトランシーバ等の光モジュールは小型化が求められている。
【０００３】
光モジュールとしては、例えば下記の非特許文献１には、ＬＳＩ、レーザダイオード等を搭載したモジュール本体に多芯のＭＴ(Mechanically Transferable)コネクタを接続する構造が記載されている。ＭＴコネクタと光モジュールの接続には、脱落を防止するために例えば図１０に示すような固定具が用いられている。
【０００４】
その固定具は、モジュール本体１０１においてＭＴコネクタ１０２が接続される端面の上部に取り付けられるヒンジ１０３と、一端がヒンジ１０３に回動可能に取り付けられるクリップ１０４とを有している。クリップ１０４の他端には、下側に曲げられてＭＴコネクタ１０２の端部に系止する断面Ｓ字状の系止片１０４ａが形成されている。また、系止片１０４ａの中央には、ＭＴコネクタ１０２の端面から引き出される光ファイバ１０５を通すための開口１０４ｂが形成されている。
【０００５】
ＭＴコネクタ１０２は、ヒンジ１０３を軸にしてクリップ１０４を上に持ち上げた状態で、モジュール本体１０１に接続される。そして、クリップ１０４によりＭＴコネクタ１０２を固定する場合には、クリップ１０４を下方に回動させて系止片１０４ａをＭＴコネクタ１０２の端部に系止すると、ＭＴコネクタ１０２はクリップ１０４の内向きの付勢力によりモジュール本体１０１に押圧されて固定される。
【非特許文献１】２０００年電子情報通信学会通信ソサイエティ大会  Ｂ−１０−１４４
【発明の開示】
【発明が解決しようとする課題】
【０００６】
ところで、光モジュール及び光コネクタが小型化されるにつれて、クリップ１０４の一端をモジュール本体１０１に回動可能に取り付けることが難しくなる。しかも、上記構造のクリップ１０４では内向きの付勢力を加えるために、必然的に系止片１０４ａがＭＴコネクタ１０２の外部に露出することになるので、系止片１０４ａが外部と接触しやすく、外れ易い状態となる。また、クリップ０１４の付勢力はそれ自体が縮まる方向であり、ＭＴコネクタ１０２の小型化に伴い、系止片１０４ａがＭＴコネクタ１０２をモジュール本体１０１側に押し付ける力をかけることが困難になる。
【０００７】
本発明の目的は、外れ難いコネクタの固定部を有する光モジュールを提供することにある。
【課題を解決するための手段】
【０００８】
上記の課題を解決するための本発明の第１の態様は、一端に光結合部を有するモジュール本体と、前記モジュール本体の外部にあって前記光結合部に隣接して配置されるコネクタ収納スペースと、前記コネクタ収納スペース内に収納され且つ、所定の間隔をおいて一列または複数列に配置される複数のファイバ貫通孔を備え、該ファイバ貫通孔内に前記光結合部に光結合される光ファイバが挿入されている直方体形状のコネクタと、前記コネクタ収納スペースを介して前記モジュール本体の前記一端に対向する位置の両側部寄りの２か所に配置され、且つ前記コネクタ収納スペースの側方でアームを介して前記モジュール本体に繋げられる２つの第１のコネクタ移動規制部と、前記コネクタの該コネクタ挿入方向と平行な４つの外表面中の３面と密着するように、該コネクタを着脱自在に内部に保持した状態で、前記コネクタ収納スペース内に着脱可能に装着されるコネクタ保持具であって、前記コネクタ収納スペース内に装着したときに、前記２つの第１のコネクタ移動規制部のそれぞれに対向する位置にスペースを設けて対峙する２つの第２のコネクタ移動規制部を備え、前記モジュール本体に接続された前記コネクタを内部に保持した状態で、前記コネクタ収納スペースの外枠を構成する前記アームの内壁に沿って摺動可能に前記コネクタ収納スペース内に装着されるコネクタ保持具と、前記コネクタ保持具が前記コネクタ収納スペース内に摺動可能に装着されたときに、前記第１のコネクタ移動規制部と前記第２のコネクタ移動規制部の間に形成される２つの前記スペースに着脱自在に嵌め込まれて該バネ装着スペースを広げる方向に付勢する２つの板バネ体と、該２つの板バネ体を接続しており、該板バネ体を前記スペースに装着したときに前記コネクタの前記コネクタ保持具で覆われていない面を覆う平板状の橋絡部とを備え、前記スペースに嵌め込まれた前記２つの板バネ体の付勢力により、前記コネクタ保持具を前記モジュール本体方向に押圧摺動させて、前記コネクタ保持具の内部に装着された前記コネクタを前記モジュール本体に押し付けるよう付勢する着脱自在なバネ部材と、を有することを特徴とする光モジュールである。
【０００９】
本発明の第２の態様は、第１の態様の光モジュールにおいて、前記コネクタが、ガイドピンを介して前記モジュール本体に接続されていることを特徴とする。
【００１０】
本発明の第３の態様は、第１の態様または第２の態様の光モジュールにおいて、前記モジュール本体内の前記光結合部は、光ファイバ、光導波路、レンズのいずれかであることを特徴とする。
【発明の効果】
【００１５】
本発明によれば、コネクタを収納するコネクタ収納スペースをモジュール本体の一端に隣接して配置し、また、コネクタ収納スペースを介してモジュール本体の一端に対向する位置の側部寄りに第１のコネクタ移動規制部を形成する一方、コネクタ収納スペース内で第１のコネクタ移動規制部に対向する第２のコネクタ移動規制部をコネクタ側に形成し、さらに、コネクタ収納スペース内において第１、第２のコネクタ移動規制部が互いに対向するスペース内にバネ体を入れてそのスペースが広がる方向に第１、第２のコネクタ移動規制部を付勢するようになされている。
【００１６】
これにより、第１、第２のコネクタ移動規制部はバネ体によって広がる方向に付勢されるので、コネクタをモジュール本体内に向けて押圧する力が加えられる。この場合、バネ体を外側へ突出させる必要はなく、外部との接触による抜けを生じ難くさせることができる。しかも、バネ体は、第１、第２のコネクタ移動規制部の間を広げる方向への付勢力でありコネクタをモジュール本体に押し付ける力を十分にかけることが可能である。
【発明を実施するための最良の形態】
【００１７】
以下に本発明の実施の形態を図面に基づいて詳細に説明する。
【００１８】
（第１の実施の形態）
図１、図２は、本発明の第１実施形態に係る光モジュールの構造を示す断面図、図３、図４は、本発明の第１実施形態に係る光モジュールにおけるモジュール本体とコネクタの接続を示す斜視図である。
【００１９】
図１（ａ）、図３（ａ）に示す光モジュール１は、モジュール本体１１と、その第１の端部から突出して形成されたコネクタ収納枠１２とを有している。モジュール本体１１は、光素子２、ＬＳＩ３等が取り付けられる基板４と、基板４の下面に取り付けられて外部に電気的に接続するための複数のはんだボール５と、基板４上に取り付けられる中枠６と、中枠６が嵌め込まれる形状を有するパッケージ７とを有している。
【００２０】
モジュール本体１１のうち後述するＭＴコネクタ２０が接続される第１の端部には、第１の光ファイバ９が挿入される複数のファイバ貫通孔８ａが所定の間隔をおいて一列又は複数列に設けられているフェルール８が形成されている。
【００２１】
第１の光ファイバ９の一端は、ＭＴコネクタ２０と光結合する位置に配置され、その反対側の他端は、基板４上の光素子２に光結合される状態で配置されている。
【００２２】
なお、第１の光ファイバ９と光素子２は、レンズ（不図示）を介して光結合してもよいし、互いに突き合わせて光結合してもよい。また、第１の光ファイバ９の代わりに、光導波路、レンズなど、他の光結合部品が取り付けられてもよい。光素子２は、例えば半導体レーザであり、面発光型であってもよいし端面発光型であってもよい。
【００２３】
フェルール８のうちＭＴコネクタ２０が接続される端部の両側寄り領域には、ガイドピン１０がその一端を突出させて差し込まれている。
【００２４】
コネクタ収納枠１２は、中枠６の第１の端部に隣接するコネクタ収納スペース１３の外周を囲む形状を有している。即ち、コネクタ収納枠１２は、コネクタ収納スペース１３を両側から挟むアーム部１２ａ，１２ｂと、コネクタ収納スペース１３のうちモジュール本体１１とは反対側の端部において両側のアーム部１２ａ，１２ｂから内向きに突出する第１のコネクタ移動規制部１２ｃ，１２ｄとを有しており、２つの第１のコネクタ移動規制部１２ｃ，１２ｄの間にはＭＴコネクタ２０をコネクタ収納スペース１３に出し入れするためのコネクタ挿通口１２ｅが設けられている。
コネクタ挿通口１２ｅの幅は、図３（ｂ）に示すように、ＭＴコネクタ２０の幅よりも広く且つ後述するコネクタ保持具３０の胴体の幅とほぼ同一となっている。
【００２５】
ＭＴコネクタ２０は、図１（ｂ）、図３（ｂ）に示すように、その内部で所定の間隔をおいて一列又は複数列に配置される複数のファイバ貫通孔２０ｆを有し、ファイバ貫通孔２０ｆ内には第２の光ファイバ２１が挿入されている。また、第２の光ファイバ２１は、ＭＴコネクタ２０のうちフェルール８に接続される部分とは反対側の端部から外方に延びている。
【００２６】
また、ＭＴコネクタ２０は、フェルール８から突出されたガイドピン１０が嵌入されるガイドピン嵌入孔２０ａを有している。ガイドピン嵌入孔２０ａは、図３（ｂ）に示すようにＭＴコネクタ２０内部を貫通する形状であってもよいし、コネクタ内部の途中まで入り込む形状であってもよい。
【００２７】
ＭＴコネクタ２０とフェルール８を接続する場合には、コネクタ収納枠１２のコネクタ挿通口１２ｅを通してＭＴコネクタ２０をコネクタ収納スペース１３に入れ、さらにフェルール８から突出したガイドピン１０にＭＴコネクタ２０のガイドピン嵌入孔２０ａを合わせてＭＴコネクタ２０を押し込むと、図１（ｂ）及び図３（ｃ）に示すように、ＭＴコネクタ２０内の第２の光ファイバ２１の先端がフェルール８内の光ファイバ９の先端に突き合わされた状態となる。
【００２８】
このままでは、僅かな引っ張り力でＭＴコネクタ２０のガイドピン嵌入孔２０ａがガイドピン１０から抜けやすい状態となるため、図２（ａ）、図４（ａ）及び図５に示すコネクタ保持具３０と、図２（ｂ）及び図４（ａ）に示すバネ部材４０を用いてそれらを固定する。
【００２９】
コネクタ保持具３０は、図５に示すように、コネクタ収納スペース１３よりも幅が狭い胴体３１と、胴体３１内に形成されてＭＴコネクタ２０を嵌め込む凹状のコネクタ嵌込部３２と、コネクタ嵌込部３２の外周を囲む壁３３と、ＭＴコネクタ２０のうちのフェルール８との接続端を露出させるコネクタ端面露出口３４と、コネクタ端面露出口３４とは反対側の壁３３でＭＴコネクタ２０より幅が狭く且つ第２の光ファイバ２１より広く形成された光ファイバ挿通口３５と、胴体３１から両側方に突出する第２のコネクタ移動規制部３６，３７を有している。
【００３０】
コネクタ嵌込部３２の長さについては、フェルール８にＭＴコネクタ２０を接続し且つＭＴコネクタ２０にコネクタ保持具３０を装着した状態で、第２のコネクタ規制部３５、３６と中枠６の間に隙間が生じる程度である。
【００３１】
コネクタ保持具３０は、図２（ａ）、図４（ａ）に示すように、ＭＴコネクタ２０をフェルール８に接続した状態で、上又は下からＭＴコネクタ２０に装着される。この場合、コネクタ保持具３０の両側において、コネクタ保持具３０の第２のコネクタ移動規制部３５，３６とコネクタ収納枠１２の第１のコネクタ移動規制部１２ｃ，１２ｄの間にはスペースが形成される。
【００３２】
バネ部材４０は、図４（ａ）の上側に示すように、コネクタ収納枠１２内のコネクタ保持具３０の両側で第１、第２のコネクタ移動規制部１２ｃ、１２ｄ、３５，３６の間のスペースに挿入される２つのバネ体４１，４２と、それらのバネ体４１，４２同士の端部を繋げる橋絡部４３とを有し、それらは燐青銅、ステンレス、ニッケルチタン等からなる弾性板の成型により形成されている。橋絡部４３は、ＭＴコネクタ２０とモジュール本体１１の上面に重なる平板状に形成されている。
【００３３】
バネ体４１，４２は、コネクタ収納枠１２の第１のコネクタ移動規制部１２ｃ，１２ｄ上に載置される第１端部４１ａ，４２ａと、コネクタ保持具３０の第２のコネクタ移動規制部３５，３６上に載置される第２端部４１ｂ，４２ｂと、第１端部４１ａ，４２ａと第２端部４１ｂ，４２ｂの間で略Ｗ字状に形成された付勢部４１ｃ，４２ｃとから構成されている。付勢部４１ｃ，４２ｃは、応力が加わらない状態で、第１のコネクタ移動規制部１２ｃ，１２ｄと第２のコネクタ移動規制部３５，３６の間に生じるスペースよりも長くなっている。
【００３４】
バネ部材４０の２つの付勢部４１ｃ，４２ｃをそれぞれ両側の第１、第２のコネクタ移動規制部１２ｃ，１２ｄ、３５，３６の間のスペースに差し込むと、図２（ｂ）、図４（ｂ）に示すように、バネ体４１，４２はその両端に隣接する第１、第２のコネクタ移動規制部１２ｃ，１２ｄ、３５，３６から抗力を受けて縮むため、その弾性によって第１、第２のコネクタ移動規制部１２ｃ，１２ｄ、３５，３６同士の間隔を広げる方向に第１、第２のコネクタ移動規制部１２ｃ，１２ｄ、３５，３６を付勢する。
【００３５】
これにより、コネクタ保持部３０にはモジュール本体１１への押圧力が生じ、この結果、ＭＴコネクタ２０をフェルール８に押し付ける方向に力が加えられ、ＭＴコネクタ２０は固定される。
【００３６】
なお、バネ部材４０は、橋絡部４３によって２つのバネ体４１，４２を一体化したものであるが、橋絡部４３を設けずに、２つのバネ体４１，４２を別々にしてもよい。
【００３７】
以上のような光モジュール１によれば、コネクタ収納枠１２により囲まれたコネクタ収納スペース１３内でフェルール８に接続されたＭＴコネクタ２０の両側において、バネ体４１，４２による外向きの付勢力によりコネクタ保持具３０を介してＭＴコネクタ２０をフェルール８に押さえ付けるようにしているので、そのバネ体４１，４２を外側に露出させる必要はなく、外部との接触によるバネ体４１，４２の抜けを未然に防止することができる。また、バネ体４１，４２の取り付けは、ＭＴコネクタ２０の両側のスペースに嵌め込むだけなので、その取り付けは容易である。
（第２の実施の形態）
図６は、本発明の第２実施形態に係る光モジュール用のコネクタを示す斜視図、図７、図８は、本発明の第２実施形態に係る光モジュールを示す斜視図である。図６〜図８において、図１〜図５と同一符号は同じ要素を示している。
【００３８】
図６に示すＭＴコネクタ５０は、両側に突出した第２のコネクタ移動規制部５２、５３を有している。また、ＭＴコネクタ５０は、図７（ａ）に示すようなモジュール本体１１に設けられたフェルール８に接続される。なお、ＭＴコネクタ５０は、外部形状を除いて、第１実施形態のＭＴコネクタ２０と同じ構造を有し、内部には第２の光ファイバ５１が挿入され、さらにガイドピン１０が嵌め込まれるガイドピン嵌合孔５０ａを有している。
【００３９】
図７（ａ）、（ｂ）に示すように、パッケージ本体１１の第１の端部には、第１実施形態と同様に、ＭＴコネクタ５０を収納するコネクタ収納スペース１３を囲むコネクタ収納枠１２が形成されている。コネクタ収納枠１２は、両側に間隙をおいてＭＴコネクタ５０の本体を挟むアーム１２ａ，１２ｂと、両アーム１２ａ，１２ｂの先端から互いに内向きに突出する第１のコネクタ移動規制部１２ｃ，１２ｄを有している。
【００４０】
また、第１のコネクタ移動規制部１２ｃ，１２ｄの相互間には、ＭＴコネクタ５０のうちの第２の光ファイバが引き出される側の端部を挟むコネクタ挿通口１２ｅが設けられている。コネクタ挿通口１２ｅは、ＭＴコネクタ５０の胴体を挿通しうる幅であって且つＭＴコネクタ５０の第２のコネクタ移動規制部５２，５３よりも狭い幅を有しており、ＭＴコネクタ５０が水平方向で抜けない構造となっている。
【００４１】
コネクタ収納枠１２内のコネクタ収納スペース１３では、フェルール８から突出したガイドピン１０とコネクタ収納枠１２の第１のコネクタ移動規制部１２ｃ，１２ｄとの間の長さＬ1 がＭＴコネクタ５０の第２のコネクタ移動規制部５２，５３の長さＬ0 よりも長くなっている。
【００４２】
そして、モジュール本体１１のフェルール８にＭＴコネクタ５０を接続する場合には、図７（ｂ）に示すように、ＭＴコネクタ５０を上又は下からコネクタ収納スペース１３及びコネクタ挿通口１２ｅに挿入する。この場合に、フェルール８から突出したガイドピン１０に当たらないように注意する。
【００４３】
その後に、ＭＴコネクタ５０をフェルール８に向けて移動し、そのガイドピン嵌合孔５０ａをガイドピン１０に合わせてさらに押し込むと、図８（ａ）に示すようにＭＴコネクタ５０とフェルール８が接続され、ＭＴコネクタ５０内の第２の光ファイバ５１とフェルール８内の第１の光ファイバ９が互いに突き合わされた状態となる。
【００４４】
これによりＭＴコネクタ５０の両側の第２のコネクタ移動規制部５２，５３とコネクタ収納枠１２の第１のコネクタ移動規制部１２ｃ、１２ｄの前後の間にはスペースが形成されるので、第１実施形態と同様に、バネ部材４０を用いてそれらのスペースにバネ体４１，４２を嵌め込む。
【００４５】
これにより、第１、第２のコネクタ移動規制部１２ｃ、１２ｄ、５２，５３は、バネ体４１，４２によって広がる方向に付勢されるので、ＭＴコネクタ５０にはフェルール８を押圧する力が加えられる。また、バネ部材４０の外側への突出量は、その厚み程度となって外部との接触による抜けは生じ難くなっている。
【００４６】
なお、図７、図８では、ＭＴコネクタ５０に直に第２のコネクタ移動規制部５２，５３が形成されているが、第１実施形態に示したようなＭＴコネクタ２０及びコネクタ保持具３０を用いてコネクタ保持具３０の側部に第２のコネクタ移動規制部を形成してもよい。
（他の実施の形態）
ところで、上記の実施形態では、バネ体４１，４２が取り付けられるスペースをＭＴコネクタ２０，５０の両側方に確保する構造を採用したが、そのスペースを片側だけに配置する構造であってもよい。また、上記の実施形態では、第１、第２のコネクタ移動規制部の間のスペースを広げる向きの付勢力を板バネであるバネ体４１，４２によって付与したが、板バネの形状は略Ｗ字状以外の形状、例えばＵ字形状、Ｃ字形状としても良いし、さらに、コイルバネその他の弾性体によって付与してもよい。
【００４７】
また、上記の実施形態では、多芯ファイバを用いたものを示したが、本発明の構成はそれに限られるものではなく、単芯ファイバを用いてもよい。また、フェルールの形状も上記のような枠体と一体になった略四角形に限られるものではなく、例えば図９に示すように、第１の光ファイバ６１を挿入させた円筒型のフェルール６２を枠体６に取り付け、コネクタ６３側にも第２の光ファイバ６４を挿入した円筒形のフェルール６５を取り付け、さらに軸方向に割り６６の入ったＣ字状のスリーブ６７にそれらのフェルール６１，６５を挿入することにより互いを突き合わせて固定するようにしてもよい。
【００４８】
コネクタ側のフェルール６２は、図５に示すようなコネクタ保持具のコネクタ嵌込部に取付けられる。そのコネクタ嵌込部の形状は、フェルール６２に合わせられることになる。
【００４９】
さらに、コネクタ収納スペース１３において、コネクタのうち光ファイバが外部に延びる側の端部とコネクタ収納枠１２の第１のコネクタ移動規制部１２ｃ，１２ｄの間にバネ体を受ける十分なスペースが確保できる構造を採用できれば、コネクタのうち光ファイバが外部に延びる側の端面を第２のコネクタ移動規制部として機能させてもよい。その場合には、図４（ｂ）、図７（ｂ）のようにコネクタの側方に突出させる形状のコネクタ移動規制部３５，３６，５２，５３を設ける必要はなくなる。
【００５０】
ところで、上記の実施形態では、光モジュール本体に光コネクタを接続する構造について説明したが、光コネクタ同士を接続するためのアダプタに上記のような固定構造を採用してもよい。
【００５１】
例えば、図１に示したようなコネクタ収納枠１２が取り付けられたモジュール本体１に類似する形状を有し、さらに、上記のフェルール８の替わりに第２の光コネクタを嵌め込む凹部を有する構造のアダプタを作製する。
【００５２】
そして、その凹部に第２の光コネクタを嵌め込むことにより、第２のコネクタとＭＴコネクタ２０との光接続が可能になる。この場合にも、上記した実施形態と同様に、コネクタ収納枠側に設けられる第１のコネクタ移動規制部とＭＴコネクタ２０側に設けられる第２のコネクタ移動規制部との間にバネ体を嵌め込むと、ＭＴコネクタ２０には第２の光コネクタに向けた力が加えられることになり、第２のコネクタとＭＴコネクタ２０はアダプタ内で固定される。
【図面の簡単な説明】
【００５３】
【図１】図１は、本発明の第１実施形態に係る光モジュールを示す断面図（その１）である。
【図２】図２は、本発明の第１実施形態に係る光モジュールを示す断面図（その２）である。
【図３】図３は、本発明の第１実施形態に係る光モジュールを示す斜視図（その１）である。
【図４】図４は、本発明の第１実施形態に係る光モジュールを示す斜視図（その２）である。
【図５】図５は、本発明の第１実施形態に係る光モジュールに使用するコネクタ保持具を示す斜視図である。
【図６】図６は、本発明の第２実施形態に係る光モジュール用のコネクタを示す斜視図である。
【図７】図７は、本発明の第２実施形態に係る光モジュールを示す斜視図（その１）である。
【図８】図８は、本発明の第２実施形態に係る光モジュールを示す斜視図（その２）である。
【図９】図９は、本発明の他の実施形態に係る光モジュールの光結合部を示す斜視図である。
【図１０】図１０は、従来技術に係る光モジュールを示す斜視図である。
【符号の説明】
【００５４】
１：光モジュール
２：光部品
３：ＬＳＩ
４：基板
５：半田ボール
６：中枠
７：パッケージ
８：フェルール
９：光ファイバ
１０：ガイドピン
１１：モジュール本体
１２：コネクタ収納枠
１２ａ、１２ｂ：アーム
１２ｃ、１２ｄ：第１のコネクタ移動規制部
１３：コネクタ収納スペース
２０、５０：ＭＴコネクタ
２１、５１：光ファイバ
３０：コネクタ保持具
３５、３６、５２、５３：第２のコネクタ移動規制部
４０：バネ部材
４１、４２：バネ体
４３：橋絡部
６１：フェルール
６３：コネクタ
６６：スリーブ
【図１】
0004413885.tif 000002
【図２】
0004413885.tif 000003
【図３】
0004413885.tif 000004
【図４】
0004413885.tif 000005
【図５】
0004413885.tif 000006
【図６】
0004413885.tif 000007
【図７】
0004413885.tif 000008
【図８】
0004413885.tif 000009
【図９】
0004413885.tif 000010
【図１０】
0004413885.tif 000011